(57)【特許請求の範囲】
【請求項１】
分光デバイスと表示パネルとを含む立体表示装置の所定条件を満たす校正パラメータを取得するための立体表示装置の校正システムにおいて、
画像取得装置と、制御装置とを含み、
前記画像取得装置は、立体表示装置に表示される立体画像を取得し、前記立体画像を前記制御装置に送信し、
前記制御装置は、受信した前記立体画像を処理して前記校正パラメータを取得し、
前記校正パラメータは、前記分光デバイスと前記表示パネルとの間の装着誤差を校正するためのものであり、
前記立体表示装置は、追跡ユニットを含み、
前記画像取得装置は、前記追跡ユニットにより識別可能なマークモデルに取り付けられ、
前記マークモデルが前記追跡ユニットにより追跡されると、前記画像取得装置は、前記立体表示装置に表示される前記立体画像を取得することを特徴とする立体表示装置の校正システム。
【請求項２】
請求項１に記載の立体表示装置の校正システムにおいて、
前記校正パラメータは、前記立体表示装置に格納されるか、格納媒体に格納されることを特徴とする立体表示装置の校正システム。
【請求項３】
請求項２に記載の立体表示装置の校正システムにおいて、
前記立体表示装置は、第１方向に沿って配列する分光ユニットと、第２方向に沿って配列する表示ユニットを含み、
前記校正パラメータは、前記装着誤差のうち、前記分光ユニットと前記表示ユニットの配列周期の不整合による水平シフト量誤差を校正するための水平シフト量校正パラメータを含むことを特徴とする立体表示装置の校正システム。
【請求項４】
請求項３に記載の立体表示装置の校正システムにおいて、
前記制御装置は、前記立体画像に基づいて前記所定条件を満たす前記水平シフト量校正パラメータを取得する水平シフト量校正モジュールを含むことを特徴とする立体表示装置の校正システム。
【請求項５】
請求項３に記載の立体表示装置の校正システムにおいて、
前記校正パラメータは、前記装着誤差のうち、前記第１方向と前記第２方向との間の角度による角度誤差を校正するための角度校正パラメータをさらに含むことを特徴とする立体表示装置の校正システム。
【請求項６】
請求項５に記載の立体表示装置の校正システムにおいて、
前記制御装置は、前記立体画像に基づいて前記所定条件を満たす前記角度校正パラメータを取得する角度校正モジュールをさらに含むことを特徴とする立体表示装置の校正システム。
【請求項７】
請求項１に記載の立体表示装置の校正システムにおいて、
前記校正パラメータは、前記装着誤差のうち、前記追跡ユニットの取付位置による位置誤差を校正するための位置校正パラメータをさらに含むことを特徴とする立体表示装置の校正システム。
【請求項８】
請求項７に記載の立体表示装置の校正システムにおいて、
前記制御装置は、前記立体画像に基づいて前記所定条件を満たす前記位置校正パラメータを取得する位置校正モジュールをさらに含むことを特徴とする立体表示装置の校正システム。
【請求項９】
請求項１に記載の立体表示装置の校正システムにおいて、
前記マークモデルには、前記追跡ユニットにより識別可能な画像特徴が設けられていることを特徴とする立体表示装置の校正システム。
【請求項１０】
請求項９に記載の立体表示装置の校正システムにおいて、
前記画像特徴は、人の顔の特徴、模様特徴、文字特徴及び色特徴のうちの一種又は複数種類を含むことを特徴とする立体表示装置の校正システム。
【請求項１１】
請求項１に記載の立体表示装置の校正システムにおいて、
前記画像取得装置は、人の目の位置に設置される少なくとも１つのカメラを含むことを特徴とする立体表示装置の校正システム。
【請求項１２】
請求項１に記載の立体表示装置の校正システムにおいて、
前記制御装置は、前記立体表示装置の表示領域を検出するための領域検出モジュールをさらに含むことを特徴とする立体表示装置の校正システム。
【請求項１３】
請求項１に記載の立体表示装置の校正システムにおいて、
前記制御装置は、前記立体表示装置に取り付けられるか、前記立体表示装置から独立することを特徴とする立体表示装置の校正システム。
【請求項１４】
請求項１３に記載の立体表示装置の校正システムにおいて、
前記制御装置は、前記立体表示装置に接続し、前記立体表示装置による前記立体画像の表示を制御することを特徴とする立体表示装置の校正システム。
【請求項１５】
分光デバイスと表示パネルとを含む立体表示装置の所定条件を満たす校正パラメータを取得するための立体表示装置の校正方法において、
前記立体表示装置に表示される立体画像を取得するステップＳ１と、
前記立体画像に基づいて、前記分光デバイスと前記表示パネルとの間の装着誤差を校正するための校正パラメータを取得するステップＳ２と、を含み、
前記立体表示装置には、所定のマークモデルを追跡するための追跡ユニットが設けられ、
ステップＳ１に先立ち、
マークモデルが前記追跡ユニットにより追跡されると、ステップＳ１に進むステップＳ３である追跡ステップをさらに含むことを特徴とする立体表示装置の校正方法。
【請求項１６】
請求項１５に記載の立体表示装置の校正方法において、
前記装着誤差は、水平シフト量誤差を含み、
ステップＳ２は、前記立体画像に基づいて、前記水平シフト量誤差を校正するための水平シフト量校正パラメータを取得するステップＳ２１を含むことを特徴とする立体表示装置の校正方法。
【請求項１７】
請求項１６に記載の立体表示装置の校正方法において、
ステップＳ２１は、具体的に、
水平シフト量検出区間を設定するステップＳ２１１と、
前記水平シフト量検出区間に基づいて前記立体画像を取得するステップＳ２１２と、
前記立体画像に基づいて、所定条件を満たす前記水平シフト量校正パラメータを取得するステップＳ２１３と、を含むことを特徴とする立体表示装置の校正方法。
【請求項１８】
請求項１５に記載の立体表示装置の校正方法において、
前記装着誤差は、角度誤差を含み、
ステップＳ２は、
前記立体画像に基づいて、前記角度誤差を校正するための角度校正パラメータを取得するステップＳ２２をさらに含むことを特徴とする立体表示装置の校正方法。
【請求項１９】
請求項１８に記載の立体表示装置の校正方法において、
ステップＳ２２は、具体的に、
角度検出区間を設定するステップＳ２２１と、
前記角度検出区間に基づいて前記立体画像を取得するステップＳ２２２と、
前記立体画像に基づいて、所定条件を満たす前記角度校正パラメータを取得するステップＳ２２３と、を含むことを特徴とする立体表示装置の校正方法。
【請求項２０】
請求項１５に記載の立体表示装置の校正方法において、
前記装着誤差は、前記追跡ユニットの取付位置による位置誤差をさらに含み、
ステップＳ２は、
前記立体画像に基づいて、前記位置誤差を校正するための位置校正パラメータを取得するステップＳ２３をさらに含むことを特徴とする立体表示装置の校正方法。
【請求項２１】
請求項２０に記載の立体表示装置の校正方法において、
ステップＳ２３は、具体的に、
位置検出区間を設定するステップＳ２３１と、
前記位置検出区間に基づいて前記立体画像を取得するステップＳ２３２と、
前記立体画像に基づいて、所定条件を満たす前記位置校正パラメータを取得するステップＳ２３３と、を含むことを特徴とする立体表示装置の校正方法。
【請求項２２】
請求項１５に記載の立体表示装置の校正方法において、
ステップＳ１に先立ち、
前記立体表示装置の表示領域を検出するステップＳ４をさらに含むことを特徴とする立体表示装置の校正方法。
【請求項２３】
請求項２０に記載の立体表示装置の校正方法において、
ステップＳ２の後に、
前記校正パラメータを格納するステップＳ５をさらに含むことを特徴とする立体表示装置の校正方法。
【発明の詳細な説明】
【技術分野】
【０００１】
本発明は、立体表示の技術分野に係るものであり、特に立体表示装置のパラメータを測定して立体表示装置の光学デバイスの装着誤差を校正する立体表示装置の校正システム及びその校正方法に係るものである。
【背景技術】
【０００２】
立体画像表示技術の結像原理は、以下のものである。観察者の両目の視差に基づいて、画像差を有する視差図を観察者の左目と右目にそれぞれ感知させ、観察者の脳により、感知した画像差に基づいて立体画像を形成される。
【０００３】
図１に示すように、従来の立体表示装置１は、分光デバイス１１と表示パネル１２とを含み、分光デバイス１１が表示パネル１２の光射出側に設けられる。画像差を有する左映像と右映像は、表示パネル１２で提供され、分光デバイス１１の分光により、左映像が観察者の左目に入り、右映像が観察者の右目に入り、観察者の脳により、感知した画像差に基づいて立体画像の視覚を形成される。
【０００４】
表示時、左映像が観察者の右目に入り、右映像が観察者の左目に入るというクロストーク問題を避けるために、分光デバイス１１と表示パネル１２との精確な連携が要求される。しかし、装着中、分光デバイス１１と表示パネル１２との装着誤差が避けられないため、分光デバイス１１を設計の要求どおりに表示パネル１２に精確に貼り合せることができず、クロストーク、立体表示効果が優れない、又は立体結像要件を満たせないといった問題が生じてしまう。立体表示装置に対して出荷前に処理を加えないと、使用者の体験に直接影響を与え、さらに立体表示技術の発展を制限する。
【０００５】
従来技術において、液晶スリット光学格子立体表示装置の校正方法が提案されている。第１リード電極に対して切断処理を行うことにより、各液晶スリットの初期状態を一致するように校正する。このような立体表示装置の校正方法は、液晶スリット光学格子と表示パネルを貼り合せる前に行われる。しかし、貼り合せ中、液晶スリット光学格子と表示パネルの装着誤差を依然として低下させることができず、貼り合わせた後の立体表示装置の表示効果が優れないことを招いてしまう。
【０００６】
従来技術において、立体表示装置のパラメータ測定システムを提案されている。立体表示装置の所定テスト画面表示時にテスト板に投影して形成される投影画像を検出し、検出した結果に基づいて分析することにより、立体表示装置の光学格子パラメータ実際値を測定することができる。当該立体表示装置のパラメータ測定システムは、テスト時、テスト板を位置調節指令に対応する位置まで移動させる必要があり、操作が複雑であり、テスト効率が低下し、しかも光学格子パラメータのみを取得できる。
【先行技術文献】
【特許文献】
【０００７】
【特許文献１】中国特許第１０２２０７４２４号明細書
【特許文献２】中国特許出願公開第１０２５９５１８２号明細書
【特許文献３】中国特許出願公開第１０２６６２２８３号明細書
【発明の概要】
【発明が解決しようとする課題】
【０００８】
本発明の実施形態は、従来技術の不備と欠陥により生じる１つ又は複数の技術問題を解決するために、立体表示装置の校正システムを提供することを目的とする。
【０００９】
本発明の実施形態は、下記のように実現される。立体表示装置の所定条件を満たす校正パラメータを取得するための立体表示装置の校正システムを提供する。当該校正システムは、画像取得装置と、制御装置とを含む。前記画像取得装置は、立体表示装置に表示される立体画像を取得し、前記立体画像を前記制御装置に送信する。前記制御装置は、受信した前記立体画像を処理して前記校正パラメータを取得する。前記校正パラメータは、前記立体表示装置の装着誤差を校正するためのものである。
【００１０】
前記校正パラメータは、前記立体表示装置に格納されるか、格納媒体に格納されることが好ましい。
【００１１】
さらに、前記立体表示装置は、第１方向に沿って配列する分光ユニットと、第２方向に沿って配列する表示ユニットを含む。前記校正パラメータは、前記装着誤差のうち、前記分光ユニットと前記表示ユニットの配列周期の不整合による水平シフト量誤差を校正するための水平シフト量校正パラメータを含む。
【００１２】
具体的に、前記制御装置は、前記立体画像に基づいて前記所定条件を満たす前記水平シフト量校正パラメータを取得する水平シフト量校正モジュールを含む。
【００１３】
さらに、前記校正パラメータは、前記装着誤差のうち、前記第１方向と前記第２方向との間の角度による角度誤差を校正するための角度校正パラメータを含む。
【００１４】
具体的に、前記制御装置は、前記立体画像に基づいて前記所定条件を満たす前記角度校正パラメータを取得する角度校正モジュールを含む。
【００１５】
さらに、前記立体表示装置は、追跡ユニットを含む。前記画像取得装置は、前記追跡ユニットにより識別可能なマークモデルに取り付けられる。前記マークモデルが前記追跡ユニットにより追跡されると、前記画像取得装置は、前記立体表示装置に表示される前記立体画像を取得する。
【００１６】
さらに、前記校正パラメータは、前記装着誤差のうち、前記追跡ユニットの取付位置による位置誤差を校正するための位置校正パラメータを含む。
【００１７】
具体的に、前記制御装置は、前記立体画像に基づいて前記所定条件を満たす前記位置校正パラメータを取得する位置校正モジュールを含む。
【００１８】
さらに、前記マークモデルには、前記追跡ユニットにより識別可能な画像特徴が設けられている。
【００１９】
前記画像特徴は、人の顔の特徴、文字特徴及び色特徴のうちの少なくとも一つを含むことが好ましい。
【００２０】
前記画像取得装置は、人の目の位置に設置される少なくとも１つのカメラを含むことが好ましい。
【００２１】
さらに、前記制御装置は、前記立体表示装置の表示領域を検出するための領域検出モジュールをさらに含む。
【００２２】
さらに、前記制御装置は、前記立体表示装置に取り付けられるか、前記立体表示装置から独立する。
【００２３】
前記制御装置は、前記立体表示装置に接続し、前記立体表示装置による前記立体画像の表示を制御することが好ましい。
【００２４】
本発明の実施形態による立体表示装置の校正システムは、画像取得装置により、立体表示装置に表示される立体画像を取得し、立体画像を制御装置に送信し、制御装置により、受信した立体画像を処理し、所定条件を満たす校正パラメータを取得する。使用者が校正処理後の立体表示装置を起動させると、立体表示装置が校正パラメータを使用して装着誤差を校正し、装着誤差による立体表示装置の表示効果への不良影響をなくす。立体表示装置の校正システムは、従来技術に比較し、立体表示装置の校正パラメータを自動的に取得し、オペレータの労働強度を低減させ、かつ校正効率を向上させる。
【００２５】
本発明の実施形態の別の目的は、立体表示装置の所定条件を満た校正パラメータを取得するための立体表示装置の校正方法を提供することであり、前記校正方法は、前記立体表示装置に表示される立体画像を取得するステップＳ１と、前記立体画像に基づいて、前記立体表示装置の装着誤差を校正するための前記校正パラメータを取得するステップＳ２とを含む。
【００２６】
さらに、前記装着誤差は、水平シフト量誤差を含む。ステップＳ２は、前記立体画像に基づいて、前記水平シフト量誤差を校正するための水平シフト量校正パラメータを取得するステップＳ２１を含む。
【００２７】
具体的に、ステップＳ２１は、水平シフト量検出区間を設定するステップＳ２１１と、前記水平シフト量検出区間に基づいて前記立体画像を取得するステップＳ２１２と、前記立体画像に基づいて、所定条件を満たす前記水平シフト量校正パラメータを取得するステップＳ２１３とを含む。
【００２８】
さらに、前記装着誤差は、角度誤差を含む。ステップＳ２は、前記立体画像に基づいて、前記角度誤差を校正するための角度校正パラメータを取得するステップＳ２２をさらに含む。
【００２９】
具体的に、ステップＳ２２は、角度検出区間を設定するステップＳ２２１と、前記角度検出区間に基づいて前記立体画像を取得するステップＳ２２２と、前記立体画像に基づいて、所定条件を満たす前記角度校正パラメータを取得するステップＳ２２３とを含む。
【００３０】
さらに、前記立体表示装置には、所定のマークモデルを追跡するための追跡ユニットが設けられている。ステップＳ１に先立ち、マークモデルが前記追跡ユニットにより追跡されると、ステップＳ１に進むステップＳ３である追跡ステップをさらに含む。
【００３１】
さらに、前記装着誤差は、前記追跡ユニットの取付位置による位置誤差をさらに含む。ステップＳ２は、前記立体画像に基づいて、前記位置誤差を校正するための位置校正パラメータを取得するステップＳ２３をさらに含む。
【００３２】
具体的に、ステップＳ２３は、位置検出区間を設定するステップＳ２３１と、前記位置検出区間に基づいて前記立体画像を取得するステップＳ２３２と、前記立体画像に基づいて、所定条件を満たす前記位置校正パラメータを取得するステップＳ２３３とを含む。
【００３３】
さらに、ステップＳ１に先立ち、前記立体表示装置の表示領域を検出するステップＳ４をさらに含む。
【００３４】
さらに、ステップＳ２の後に、前記校正パラメータを格納するステップＳ５をさらに含む。
【００３５】
本発明の実施形態による立体表示装置の校正方法は、所定条件を満たす校正パラメータを取得し、使用者が校正処理後の立体表示装置を起動させると、立体表示装置が校正パラメータを使用して装着誤差を校正し、装着誤差による立体表示装置の表示効果への不良影響をなくす。本実施形態による立体表示装置の校正方法は、従来技術に比較し、操作工程が少なく、立体表示装置の校正パラメータを自動的に取得し、オペレータの労働強度を低減させ、かつ校正効率を向上させる。
【図面の簡単な説明】
【００３６】
【図１】従来技術による立体表示装置の構造模式図である。
【図２】本発明の実施形態１による立体表示装置の校正システムの構造模式図である。
【図３】本発明の実施形態１による制御装置の構造模式図である。
【図４】本発明の実施形態１による画像取得装置の構造模式図である。
【図５】本発明の実施形態２による追跡ユニットとマークモデルとの連動模式図である。
【図６】本発明の実施形態３による立体表示装置の校正方法のフロー模式図である。
【図７】図６のＳ２の詳細フロー模式図である。
【図８】図７のＳ２１の詳細フロー模式図である。
【図９】図７のＳ２２の詳細フロー模式図である。
【図１０】図７のＳ２３の詳細フロー模式図である。
【発明を実施するための形態】
【００３７】
本発明の解決しようとする技術問題、技術案及び有益な効果をより明確するために、以下、図面および実施形態とともに本発明についてさらに詳細に記載する。なお、ここで記載する具体的な実施形態は、単に本発明を解釈するためのものであり、本発明を限定するためのものではない。
【００３８】
＜実施形態１＞
図１と図２に示すように、本発明の実施形態による立体表示装置の校正システム（図示せず）は、立体表示装置１の所定条件を満たす校正パラメータを取得するためのものである。本実施形態による校正パラメータは、装着済みの立体表示装置１を検出して取得した、装着誤差に対応するものである。立体表示装置の校正システムは、制御装置２と画像取得装置３とを含む。画像取得装置３は、立体表示装置１に表示される立体画像を取得し、立体画像を制御装置２に送信する。制御装置２は、受信した立体画像を処理し、立体表示装置１の装着誤差を校正するための校正パラメータを取得する。立体表示装置１は、使用者によりスタートすると、校正パラメータに基づいて装着誤差を校正し、装着誤差による立体表示装置１の表示効果への不良な影響をなくす。本発明の実施形態による立体表示装置の校正システムは、構造が簡単であり、画像取得装置３により立体画像を取得し、制御装置２により立体画像を処理して校正パラメータを取得するものであり、結果の信頼性が高い。本発明の実施形態による立体表示装置の校正システムは、従来技術に比較し、装着済みの立体表示装置１を処理して校正パラメータを取得するため、立体表示装置１の装着効率に影響を与えることがない。立体表示装置１は、立体画像表示時に、校正パラメータに基づいて表示ユニット１２１に対して配列処理を行い、装着誤差による表示効果への影響をなくす。校正パラメータの取得は、オペレータによる手動作業を必要とせず、オペレータの労働強度を低下させ、しかも立体表示装置１の装着完成後に校正するため、校正結果の信頼性が高く、立体表示効果の向上に役立つ。
【００３９】
本実施形態でいう所定条件とは、立体表示装置１が立体画像表示時に校正パラメータに基づいて表示ユニット１２１に対して配列処理を行い、装着誤差による表示効果への影響をなくすことである。
【００４０】
図１、図２及び図４に示すように、画像取得装置３は、立体表示装置１に表示される立体画像を撮影する少なくとも１つのカメラを含む。本実施形態において、画像取得装置３は、離間して設置される左カメラ３１ａと右カメラ３１ｂとを含む。左カメラ３１ａと右カメラ３１ｂは、構造や物理性能が同一である。左カメラ３１ａと右カメラ３１ｂの離間距離は、人の目の瞳孔間距離と理解してよく、立体結像要件を満たす。立体表示装置１は、変化する立体画像を表示する。左カメラ３１ａと右カメラ３１ｂは、立体表示装置１を同時に撮影する。左カメラ３１ａは、立体画像を撮影して第１画像変化を取得し、右カメラ３１ｂは、立体画像を撮影して第２画像変化を取得する。制御装置２は、第１画像変化、第２画像変化をそれぞれ処理して第１画像変化のうち所定条件を満たす左映像パラメータ、第２画像変化のうち所定条件を満たす右映像パラメータを取得する。制御装置２は、左映像パラメータ、右映像パラメータに基づいて所定条件を満たす校正パラメータを取得する。使用者が立体表示装置１を利用して立体画像を表示するとき、校正パラメータに基づいて装着誤差を校正するため、表示される立体画像には、クロストーク、モアレ縞など表示効果に影響を与える不良な要素がなく、良好な表示効果を取得し、装着誤差により立体表示効果に影響を与える問題をなくす。本実施形態による立体表示装置の校正システムは、従来技術に比較し、立体表示装置１の校正パラメータを取得することができ、立体表示装置１が校正パラメータに基づいて装着誤差を校正し、装着誤差による表示効果への影響をなくし、立体表示装置１の表示効果を向上させ、しかも操作が便利であり、検出効率を向上させ、取得する校正パラメータの信頼性が高い。
【００４１】
図１に示すように、本実施形態による左映像パラメータ、右映像パラメータは、ある数値であってもいいし、数値の区間であってもいい。立体表示装置１は、立体画像表示時に、校正パラメータに基づいて表示ユニット１２１に対して配列処理を行い、良好な表示効果を取得し、しかも明らかなクロストーク、モアレ縞などの問題がなく、３Ｄ結像要件を満たし、立体表示効果を向上させ、装着誤差による立体表示効果への影響をなくす。
【００４２】
図１、図２及び図４に示すように、上記実施形態において、左カメラ３１ａと右カメラ３１ｂを用いて、立体表示装置１に表示される立体画像をそれぞれ撮影する。もちろん、１つのカメラを用いて立体画像を撮影してもいい。例えば、左カメラ３１ａを人の左目の位置に設置し、立体表示装置１に表示される立体画像を撮影して第１画像変化を取得し、第１画像変化に対して対応な画像処理を行うことにより、所定条件を満たす左映像パラメータを取得することができる。立体表示装置１は、左映像パラメータに基づいて立体表示装置１の装着誤差を校正し、装着誤差による立体表示装置１の表示効果への影響をなくす。同様に、右カメラ３１ｂを人の右目の位置に設置し、立体表示装置１に表示される立体画像を撮影して第２画像変化を取得し、第２画像変化に対して対応な画像処理を行うことにより、所定条件を満たす右映像パラメータを取得する。立体表示装置１は、右映像パラメータに基づいて立体表示装置１の装着誤差を校正し、装着誤差による立体表示装置１の表示効果への影響をなくす。複数の画像取得手段を提供することにより、オペレータの実際生産に応じた選択を便利にする。
【００４３】
本実施形態において、二値化方法を用いて、第１画像変化及び／又は第２画像変化を処理して、所定条件を満たす左映像パラメータ及び／又は右映像パラメータを取得することができる。もちろん、本発明の実施形態による画像処理方法は、これに限られず、画素値比較の方法により、第１画像変化に対応する第１変化曲線、及び／又は第２画像変化に対応する第２変化曲線を取得することもできる。分光デバイス１１の分光特性に基づいて、第１変化曲線及び／又は第２変化曲線を比較することにより、左映像パラメータ及び／又は右映像パラメータを取得し、左映像パラメータ及び／又は右映像パラメータから校正パラメータを取得する。本実施形態は、上記２種類の画像処理方法に限られず、本分野の技術者が周知する画像処理方式がいずれも本発明の保護範囲内に含まれる。
【００４４】
図１に示すように、本実施形態において、立体表示装置１は、画像差を有する左映像と右映像を含む立体画像を提供する。左映像と右映像を分かりやすく区別するために、左映像を純赤図、右映像を純緑図と設定する。本実施形態によるクロストーク現象無しとは、左映像に緑色画像がなく、右映像に赤色画像がないことである。もちろん、本発明の実施形態による立体画像は、これに限られず、画像差を有する立体画像であれば本発明の実施形態による立体表示装置の校正システムに適用することができる。例えば、赤／青立体図、黒／白立体図、または、左映像中の画像要素が矩形である一方、右映像中の画像要素が三角形であるものや、左映像中の画像要素が数字１である一方、右映像中の画像要素が数字２であるものなど、本分野の技術者が周知する立体画像は、いずれも本発明の保護範囲内に含まれる。左映像と右映像は、その元も広く、限定されず、本発明の応用分野が広がる。
【００４５】
本実施形態において、図１及び図２に示すように、立体表示装置１に立体画像を格納しておく。立体画像の表示周波数を設定することにより、画像取得装置３は、立体画像を取得して制御装置２に送信する。もちろん、制御装置２により、立体表示装置１による表示の周波数を制御し、画像取得装置３による立体画像取得の目的を実現してもいい。多種類の形態により立体画像を表示することができ、操作が便利であり、本実施形態による立体表示装置の校正システムの使用範囲が広がる。
【００４６】
図２に示すように、画像取得装置３と制御装置２とは、導線で直接接続であってもいいし、無線で接続であってもよいし、例えばブルートゥース（登録商標）通信方式、ＮＦＣ（近距離無線通信）方式、ＷｉＦｉ（登録商標）方式、ＲＦＩＤ通信方式であり、さらにＵＳＢインタフェースモジュール接続の方式であってもよく、接続方式が多様であり、異なる装着環境に応じて選択して使用する。
【００４７】
校正パラメータ取得時に、検出時間の短縮を図り、装着誤差に応じて検出区間を設定することができる。校正パラメータを取得できなかった場合、検出歩幅に大きめの値を取り、検出を加速させ、なるべく早期に所定条件を満たす校正パラメータを取得するようにする。所定条件を満たす校正パラメータを取得すると、検出歩幅を正常値に戻すか小さめの値を取り、所定条件を満たす校正パラメータを多く取得する。再び校正パラメータの未取得があると、検出を停止させ、検出時間を短縮させ、立体表示装置１の検出効率を向上させる。または、検出区間につき二値化処理をし、検出区間内で校正パラメータを取得すると検出を引き続きするが、検出区間内で校正パラメータを取得できなかった場合、当該検出区間をスキップする。
【００４８】
本実施形態において、立体表示装置１は、移動端末であってもいいし、パソコンなど表示機能付きの電子装置であってもいい。制御装置２は、パソコンや移動端末など処理・通信機能付きの設備であり、ここでは枚挙しない。
【００４９】
本実施形態において、制御装置２がパソコンであり、立体表示装置１が携帯電話であり、立体表示装置１がデータ線を介して制御装置２に接続し、画像取得装置３がデータ線を介して制御装置２に接続することが好ましく、パソコンの処理効率がより高く、処理時間が短縮し、処理効率が向上する。
【００５０】
上記実施形態の更なる改良として、図１及び図２に示すように、本実施形態による校正パラメータは、立体表示装置１に格納されるか、格納媒体に格納される。制御装置２は、立体画像に基づいて、所定条件を満たす校正パラメータを取得し、校正パラメータを立体表示装置１に格納していい。使用者による立体表示装置１の使用時に、立体表示装置１は、校正パラメータに基づいて装着誤差を校正し、装着誤差による表示効果への影響をなくす。もちろん、制御装置２は、校正パラメータを格納媒体に格納してもいい。使用者による立体表示装置１の使用時に、格納媒体から校正パラメータを取得し、操作が便利である。本実施形態による格納媒体は、クラウドサービスまたはＡＰＰストアのクライアントなどのプラットフォームである。もちろん、使用者は、個人の好みや個人差に応じて、表示効果を調整することができる。
【００５１】
上記実施形態の更なる改良として、図１及び図２に示すように、本実施形態による制御装置２が立体表示装置１に取り付けられ、制御装置２が立体表示装置１の処理装置として機能し、校正パラメータが制御装置２に格納され、使用時に、制御装置２から校正パラメータを取り出し、装着誤差の校正を行う。もちろん、制御装置２は、立体表示装置１から独立してもよく、所定条件を満たす校正パラメータを取得してもよい。制御装置２は、ユーザのリクエストに応じて取り付け位置を変更することができ、取り付けがより柔軟である。
【００５２】
上記実施形態の更なる改良として、図１及び図２に示すように、制御装置２は、立体表示装置１に接続し、立体表示装置１による立体画像表示を制御する。制御装置２と立体表示装置１とは、導線で直接接続であってもいいし、無線で接続であってもいい、例えばブルートゥース（登録商標）通信方式、ＮＦＣ（近距離無線通信）方式、ＷｉＦｉ（登録商標）方式、ＲＦＩＤ通信方式であり、さらにＵＳＢインタフェースモジュール接続の方式であってもよく、接続方式が多様であり、異なる装着環境に応じて選択して使用する。制御装置２により、立体表示装置１による立体画像表示を制御し、画像取得装置３による立体画像取得を制御し、校正パラメータ取得の自動化を実現し、操作がより便利であり、オペレータの作業負担を低減させ、かつ操作が自動的に行われ、校正パラメータの精確度が高い。
【００５３】
上記実施形態の更なる改良として、図１及び図２に示すように、立体表示装置１は、第１方向に沿って配列する分光ユニット１１１を含む分光デバイス１１と、第２方向に沿って配列する表示ユニット１２１を含む表示パネル１２を含み、本実施形態による表示ユニット１２１が立体表示の最小表示単位を指す。設計上の要求により、分光デバイス１１は、表示パネル１２に傾斜するように置かれる。立体表示装置１の装着完成後に、装着誤差は、分光ユニット１１１と表示ユニット１２１の配列周期の不整合による水平シフト量誤差を含む。水平シフト量誤差を校正しないと、画像にクロストーク問題が生じてしまい、立体表示装置１の表示効果に影響を与える。校正パラメータは、水平シフト量誤差を校正するための水平シフト量校正パラメータを含む。画像取得装置３は、立体表示装置１に表示される立体画像を取得し、制御装置２は、立体画像に基づいて、所定条件を満たす水平シフト量校正パラメータを取得する。使用者による立体表示装置１の使用時に、立体表示装置１は、水平シフト量校正パラメータに基づいて水平シフト量誤差を校正し、水平シフト量誤差による立体表示への影響をなくし、立体表示効果を向上させる。
【００５４】
具体的に、図１〜図３に示すように、制御装置２は、立体画像に基づいて所定条件を満たす水平シフト量校正パラメータを取得する水平シフト量校正モジュール２１を含む。水平シフト量校正モジュール２１は、表示ユニット１２１の配列周期に基づいて、水平シフト量検出区間及び水平シフト量検出歩幅を設定する。水平シフト量校正モジュール２１は、初期水平シフト量校正パラメータＬ０に基づいて立体表示装置１による表示ユニット１２１に対して対応な画像処理を行うことを制御する。具体的に、初期水平シフト量校正パラメータをＬ０と設定する。水平シフト量校正モジュール２１は、初期水平シフト量校正パラメータＬ０に基づいて、水平シフト量制御信号を送信する。立体表示装置１は、水平シフト量制御信号に基づいて、表示ユニット１２１に対して配列処理を行い、配列処理後の立体画像を表示する。画像取得装置３は、当該立体画像を取得し、水平シフト量校正モジュール２１に格納する。第ｉ回水平シフト量校正パラメータをＬｉ、水平シフト量検出歩幅をｂ１と設定すると、Ｌｉ＝Ｌ０＋（ｉ−１）ｂ１（ｉ≧１）。第ｉ回水平シフト量校正パラメータＬｉに基づいて画像処理を行う前に、水平シフト量校正モジュール２１は、第ｉ回水平シフト量校正パラメータＬｉが水平シフト量検出区間にあるかを判断する。第ｉ回水平シフト量校正パラメータＬｉが水平シフト量検出区間にない場合、上記作業を停止させる。第ｉ回水平シフト量校正パラメータＬｉが水平シフト量検出区間にある場合、水平シフト量校正モジュール２１は、第ｉ回水平シフト量校正パラメータＬｉに基づいて、水平シフト量制御信号を送信する。立体表示装置１は、水平シフト量制御信号に基づいて、表示ユニット１２１に対して配列処理を行い、配列処理後の立体画像を表示する。画像取得装置３は、当該立体画像を取得し、水平シフト量校正モジュール２１に格納する。第ｉ回水平シフト量校正パラメータＬｉが水平シフト量検出区間から外れると、上記作業を停止させる。水平シフト量校正モジュール２１は、立体画像に対して画像処理を行い、所定条件を満たす水平シフト量校正パラメータを取得する。立体表示装置１による立体画像表示時に、水平シフト量校正パラメータに基づいて表示ユニット１２１に対して配列処理を行い、水平シフト量誤差による表示効果への影響をなくす。水平シフト量校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００５５】
上記実施形態の更なる改良として、図１及び図２に示すように、分光ユニット１１１と表示ユニット１２１の配列が周期的に干渉するのを避けるために、分光デバイス１１を表示パネル１２に傾斜するように置き、分光ユニット１１１が第１方向に沿って配列し、表示ユニット１２１が第２方向に沿って配列し、装着誤差には、第１方向と第２方向との間の角度による角度誤差をさらに含む。角度誤差を校正しないと、画像のクロストーク、粒子感などが生じてしまい、立体表示装置１の表示効果に影響を与える。校正パラメータは、角度誤差を校正するための角度校正パラメータを含む。画像取得装置３は、立体表示装置１に表示される立体画像を取得する。制御装置２は、立体画像に基づいて、所定条件を満たす角度校正パラメータを取得する。使用者による立体表示装置１の使用時に、立体表示装置１は、角度校正パラメータに基づいて角度誤差を校正し、角度誤差による立体表示への影響をなくし、立体表示効果を向上させる。
【００５６】
具体的に、図１〜図３に示すように、制御装置２は、立体画像に基づいて所定条件を満たす角度校正パラメータを取得する角度校正モジュール２２を含む。角度校正モジュール２２は、設計の要求及び装着精度に基づいて、角度検出区間及び角度検出歩幅を設定する。具体的に、初期角度校正パラメータをＡ０と設定する。角度校正モジュール２２は、初期角度校正パラメータＡ０に基づいて、角度制御信号を送信する。立体表示装置１は、角度制御信号に基づいて、表示ユニット１２１に対して配列処理を行い、配列処理後の立体画像を表示する。画像取得装置３は、当該立体画像を取得し、角度校正モジュール２２に格納する。第ｉ回角度校正パラメータをＡｉ、角度検出歩幅をｂ２と設定すると、Ａｉ＝Ａ０＋（ｉ−１）ｂ２（ｉ≧１）。第ｉ回角度校正パラメータＡｉに基づいて画像処理を行う前に、角度校正モジュール２２は、第ｉ回角度校正パラメータＡｉが角度検出区間にあるかを判断する。第ｉ回角度校正パラメータＡｉが角度検出区間にない場合、上記作業を停止させる。第ｉ回角度校正パラメータＡｉが角度検出区間にある場合、角度校正モジュール２２は、第ｉ回角度校正パラメータＡｉに基づいて、角度制御信号を送信する。立体表示装置１は、角度制御信号に基づいて、表示ユニット１２１に対して配列処理を行い、配列処理後の立体画像を表示する。画像取得装置３は、当該立体画像を取得し、角度校正モジュール２２に格納する。第ｉ回角度校正パラメータＡｉが角度検出区間から外れると、上記作業を停止させる。立体表示装置１による立体画像表示時に、角度校正パラメータに基づいて表示ユニット１２１に対して配列処理を行い、角度誤差による表示効果への影響をなくす。角度校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００５７】
上記実施形態の更なる改良として、図１及び図３に示すように、制御装置２は、立体表示装置１における表示領域を検出するための領域検出モジュール２４をさらに含む。画像取得装置３が取得する画像は、立体表示装置１に表示される立体画像だけではなく、表示領域以外の外部環境も含むため、外部環境による角度校正パラメータ、水平シフト量校正パラメータの精確さへの影響を避けるべく、画像処理前に、立体表示装置１における表示領域を検出して表示領域内に画像の関連処理をする必要がある。領域検出モジュール２４は、表示領域内の画像チャネル値を抽出し、エッジ検出を用いて、表示領域の境界点及び境界曲線を検出し、境界点及び境界曲線と画像面積に基いて、表示領域を自動的に検出する。外部環境による検出結果への影響をさらに低減させ、校正結果の信頼性を確保する。
【００５８】
＜実施形態２＞
本実施形態による立体表示装置の校正システムは、実施形態１による立体表示装置の校正システムとは構造がほぼ同一であり、相違点として、図１、図２及び図５に示すように、追跡機能付きの追跡ユニット１３が立体表示装置１に設けられ、追跡ユニット１３による識別が可能なマークモデル４に画像取得装置３が取り付けられることである。本実施形態による追跡ユニット１３は、赤外線検出装置、追跡カメラなど、マークモデル４を追跡可能な装置である。追跡ユニット１３の追跡機能を起動させ、マークモデル４が追跡ユニット１３により追跡されると、立体表示装置１は、追跡信号を制御装置２にフィードバックする。制御装置２は、追跡信号に基づいて、画像取得装置３による立体表示装置１に表示される立体画像の取得を制御する。使用者の代わりにマークモデル４を使用し、立体表示装置１は、マークモデル４の位置に基づいて立体表示内容を調整する。そこで、実際の使用時に、観察者が立体画像を途切れなく見ることができ、しかも観察した内容が使用者の方位や運動傾向に応じて対応的に変化し、使用者と表示内容のインターアクションを実現し、立体表示のリアリティを向上させる。マークモデル４が追跡ユニット１３により追跡されると、立体表示装置１は、制御信号を送信する。制御装置２は、制御信号に基づいて、画像取得装置３による立体表示装置１に表示される立体画像の取得を制御し、立体画像を制御装置２に格納する。制御装置２は、立体画像に基づいて所定条件を満たす校正パラメータを取得する。使用者による立体表示装置１の使用時に、立体表示装置１は、校正パラメータに基づいて表示ユニット１２１に対して配列処理を行い、配列処理後の立体画像を表示する。画像取得装置３は、当該立体画像を取得し、制御装置２に格納する。制御装置２は、立体画像の画像処理を行い、所定条件を満たす校正パラメータを取得する。立体表示装置１は、校正パラメータに基づいて装着誤差を校正し、装着誤差による立体表示効果への影響をなくす。
【００５９】
さらに、マークモデル４には、追跡ユニット１３により識別可能な画像特徴が設けられる。画像特徴が追跡ユニット１３に追跡されると、立体表示装置１は、追跡信号を制御装置２にフィードバックする。制御装置２は、追跡信号に基づいて、画像取得装置３による立体表示装置１に表示される立体画像の取得を制御する。使用者の代わりにマークモデル４を使用し、立体表示装置１は、マークモデル４の位置に基づいて立体表示内容を調整する。そこで、実際の使用時に、観察者が立体効果を途切れなく見ることができ、しかも観察した内容が使用者の方位や運動傾向に応じて対応的に変化し、使用者と表示内容のインターアクションを実現し、立体表示のリアリティを向上させる。本実施形態によるマークモデル４は、平面のペーパボード（paperboard）または立体頭部画像などにある追跡ユニット１３による識別可能な特徴である。例えば人の顔部の特徴、文字特徴又は画像特徴などが挙げられるが、ここでは枚挙しない。
【００６０】
上記実施形態の更なる改良として、画像特徴は、人の顔の特徴、文字特徴及び色特徴のうちの一種又は複数種類を含む。使用者の代わりに人の顔の特徴を使用して、使用者の鑑賞環境を模擬する場合、取得する校正パラメータは、より真実に近いものである。もちろん、画像特徴は、他の特徴であってもいい。追跡ユニット１３に識別される特徴であれば、いずれも本発明の保護範囲内に含まれる。
【００６１】
図１及び図４に示すように、画像取得装置３は、少なくとも１つのカメラを含む。カメラは、人の目の位置に設置され、立体表示装置１に表示される立体画像を撮影する。本実施形態において、画像取得装置３は、離間して設置される左カメラ３１ａと右カメラ３１ｂとを含む。左カメラ３１ａと右カメラ３１ｂは、構造や物理性能が同一である。左カメラ３１ａと右カメラ３１ｂの離間距離は、人の目の瞳孔間距離と理解してよく、立体結像要件を満たす。立体表示装置１は、変化する立体画像を表示する。左カメラ３１ａと右カメラ３１ｂは、立体表示装置１を同時に撮影する。左カメラ３１ａは、立体画像を撮影して第１画像変化を取得し、右カメラ３１ｂは、立体画像を撮影して第２画像変化を取得する。制御装置２は、第１画像変化、第２画像変化をそれぞれ処理して第１画像変化のうち所定条件を満たす左映像パラメータ、第２画像変化のうち所定条件を満たす右映像パラメータを取得する。制御装置２は、左映像パラメータ、右映像パラメータに基づいて所定条件を満たす校正パラメータを取得する。使用者が立体表示装置１を利用して立体画像を表示するとき、校正パラメータに基づいて装着誤差を校正するため、表示される立体画像には、クロストーク、モアレ縞など表示効果に影響を与える不良な要素がなく、良好な表示効果を取得し、装着誤差により立体表示効果に影響を与える問題をなくす。本実施形態による立体表示装置の校正システムは、従来技術に比較し、立体表示装置１の校正パラメータを取得することができ、立体表示装置１が校正パラメータに基づいて装着誤差を校正し、装着誤差による表示効果への影響をなくし、立体表示装置１の表示効果を向上させ、しかも操作が便利であり、検出効率を向上させ、取得する校正パラメータの信頼性が高い。
【００６２】
図１及び図４に示すように、上記実施形態において、左カメラ３１ａと右カメラ３１ｂを用いて、立体表示装置１に表示される立体画像をそれぞれ撮影する。もちろん、１つのカメラを用いて立体画像を撮影してもいい。例えば、左カメラ３１ａを人の左目の位置に設置し、立体表示装置１に表示される立体画像を撮影して第１画像変化を取得し、第１画像変化に対して対応な画像処理を行うことにより、所定条件を満たす左映像パラメータを取得することができる。立体表示装置１は、左映像パラメータに基づいて立体表示装置１の装着誤差を校正し、装着誤差による立体表示装置１の表示効果への影響をなくす。同様に、右カメラ３１ｂを人の右目の位置に設置し、立体表示装置１に表示される立体画像を撮影して第２画像変化を取得し、第２画像変化に対して対応な画像処理を行うことにより、所定条件を満たす右映像パラメータを取得する。立体表示装置１は、右映像パラメータに基づいて立体表示装置１の装着誤差を校正し、装着誤差による立体表示装置１の表示効果への影響をなくす。複数の画像取得手段を提供することにより、オペレータの実際生産に応じた選択を便利にする。
【００６３】
上記実施形態の更なる改良として、図１、図２及び図５に示すように、装着誤差は、立体表示装置１における追跡ユニット１３の取付により生じる位置誤差をさらに含む。位置誤差を校正しないと、立体表示装置１の表示効果に影響を与える。校正パラメータは、位置誤差を校正するための位置校正パラメータを含む。画像取得装置３は、立体表示装置１に表示される立体画像を取得し、制御装置２は、立体画像に基づいて所定条件を満たす位置校正パラメータを取得する。使用者による立体表示装置１の使用時に、立体表示装置１は、位置校正パラメータに基づいて位置誤差を校正し、位置誤差による立体表示への影響をなくし、立体表示効果を向上させる。
【００６４】
具体的に、図１、図３及び図５に示すように、制御装置２は、立体画像に基づいて所定条件を満たす位置校正パラメータを取得する位置校正モジュール２３をさらに含む。位置校正モジュール２３は、設計上の要求における追跡ユニット１３の取付位置及び装着精度に基づいて、位置検出区間及び位置検出歩幅を特定する。具体的に、初期位置校正パラメータをＺ０と設定する。位置校正モジュール２３は、初期位置校正パラメータＺ０に基づいて、位置制御信号を送信する。立体表示装置１は、位置制御信号に基づいて、表示ユニット１２１に対して配列処理を行い、配列処理後の立体画像を表示する。画像取得装置３は、当該立体画像を取得し、位置校正モジュール２３に格納する。第ｉ回位置校正パラメータをＺｉ、位置検出歩幅がｂ３と設定すると、Ｚｉ＝Ｚ０＋（ｉ−１）ｂ３（ｉ≧１）。第ｉ回位置校正パラメータＺｉに基づいて画像処理を行う前に、位置校正モジュール２３は、第ｉ回位置校正パラメータＺｉが位置検出区間にあるかを判断する。第ｉ回位置校正パラメータＺｉが位置検出区間にない場合、上記作業を停止させる。第ｉ回位置校正パラメータＺｉが位置検出区間にある場合、位置校正モジュール２３は、第ｉ回位置校正パラメータＺｉに基づいて、位置制御信号を送信する。立体表示装置１は、位置制御信号に基づいて、表示ユニット１２１に対して配列処理を行い、配列処理後の立体画像を表示する。画像取得装置３は、当該立体画像を取得し、位置校正モジュール２３に格納する。第ｉ回位置校正パラメータＺｉが位置検出区間から外れると、上記作業を停止させる。立体表示装置１による立体画像表示時に、位置校正パラメータに基づいて表示ユニット１２１に対して配列処理を行い、位置誤差による表示効果への影響をなくす。位置校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００６５】
＜実施形態３＞
図１及び図６に示すように、本実施形態による立体表示装置の校正方法は、立体表示装置１の所定条件を満たす校正パラメータを取得するための方法である。当該校正方法は、立体表示装置１に表示される立体画像を取得するステップＳ１と、立体画像に基づいて、立体表示装置１の装着誤差を校正するための校正パラメータを取得するステップＳ２とを含む。
【００６６】
本実施形態による校正パラメータは、装着済みの立体表示装置１を検出して取得した、装着誤差に対応するものである。立体表示装置１に表示される立体画像を取得し、立体画像に基づいて、所定条件を満たす校正パラメータを取得する。校正パラメータは、立体表示装置１の装着誤差を校正するためのものである。立体表示装置１は、使用者によりスタートすると、校正パラメータに基づいて装着誤差を校正し、装着誤差による立体表示装置１の表示効果への不良な影響をなくす。本発明の実施形態による立体表示装置の校正方法は、操作が簡単であり、実施しやすく、結果の信頼性が高い。本発明の実施形態による立体表示装置の校正方法は、従来技術に比較し、装着済みの立体表示装置１を操作して校正パラメータを取得するため、立体表示装置１の装着効率に影響を与えることがない。立体表示装置１は、校正パラメータに基づいて装着誤差を校正し、校正結果の信頼性を向上させ、良好な表示効果を取得する。しかも校正パラメータの取得時に、立体表示装置１の置く場所を変更する必要がなく、作業の難度を低下させ、オペレータの労働強度を低下させる。
【００６７】
立体表示装置１は、画像差を有する左映像と右映像を含む立体画像を表示し、左映像に対応する第１画像変化、右映像に対応する第２画像変化を取得する。第１画像変化、第２画像変化をそれぞれ処理して、第１画像変化のうち所定条件を満たす左映像パラメータ、第２画像変化のうち所定条件を満たす右映像パラメータを取得する。左映像パラメータ、右映像パラメータから所定条件を満たす校正パラメータを取得する。使用者が当該立体表示装置１を使用して立体画像を表示するときに、校正パラメータに基づいて装着誤差を校正し、装着誤差により立体表示効果に影響を与える問題をなくし、表示される立体画像にクロストーク、モアレ縞など表示効果に影響を与える不良要素がなく、良好な表示効果を取得する。本実施形態による立体表示装置の校正方法は、従来技術に比較し、立体表示装置１の校正パラメータを取得し、立体表示装置１が校正パラメータに基づいて装着誤差を校正し、装着誤差による表示効果への影響をなくし、立体表示装置１の表示効果を向上させ、しかも操作が便利であり、検出効率を向上させ、取得する校正パラメータの信頼性が高い。
【００６８】
本実施形態による左映像パラメータ、右映像パラメータは、ある数値であってもいいし、数値の区間であってもいい。立体表示装置１は、立体画像表示時に、当該校正パラメータに基づいて表示ユニット１２１に対して配列処理を行い、良好な表示効果を取得し、しかも明らかなクロストーク、モアレ縞などの問題がなく、３Ｄ結像要件を満たし、立体表示効果を向上させ、装着誤差による立体表示効果への影響をなくす。
【００６９】
上記実施形態において、左映像に対応する第１画像変化、右映像に対応する第２画像変化をそれぞれ取得する。もちろん、第１画像変化または第２画像変化の一方のみを取得してもいい。例えば、第１画像変化のみを取得し、第１画像変化に対して対応な画像処理を行うことにより、所定条件を満たす左映像パラメータを取得することができる。立体表示装置１は、左映像パラメータに基づいて立体表示装置１の装着誤差を校正し、装着誤差による立体表示装置の表示効果への影響をなくす。同様に、第２画像変化のみを取得し、第２画像変化に対して対応な画像処理を行うことにより、所定条件を満たす右映像パラメータを取得する。立体表示装置１は、右映像パラメータに基づいて立体表示装置１の装着誤差を校正し、装着誤差による立体表示装置１の表示効果への影響をなくす。複数の画像取得手段を提供することにより、オペレータの実際生産に応じた選択を便利にする。
【００７０】
本実施形態において、二値化方法を用いて、第１画像変化及び／又は第２画像変化を処理して、所定条件を満たす左映像パラメータ及び／又は右映像パラメータを取得することができる。もちろん、本発明の実施形態による画像処理方法は、これに限られず、画素値比較の方法により、第１画像変化に対応する第１変化曲線、及び／又は第２画像変化に対応する第２変化曲線を取得することもできる。分光デバイス１１の分光特性に基づいて、第１変化曲線と第２変化曲線を比較することにより、左映像パラメータと右映像パラメータを取得し、左映像パラメータと右映像パラメータから校正パラメータを取得する。本実施形態は、上記２種類の画像処理方法に限られず、本分野の技術者が周知する画像処理方式がいずれも本発明の保護範囲内に含まれる。
【００７１】
本実施形態において、立体表示装置１は、画像差を有する左映像と右映像を含む立体画像を提供する。左映像と右映像を分かりやすく区別するために、左映像を純赤図、右映像を純緑図と設定する。本実施形態におけるスクローク現象無しとは、左映像に緑色画像がなく、右映像に赤色画像がないことである。もちろん、本発明の実施形態による立体画像は、これに限られず、画像差を有する立体画像であれば本発明の実施形態による立体表示装置の校正方法に適用することができる。例えば、赤／青立体図、黒／白立体図、または、左映像中の画像要素が矩形である一方、右映像中の画像要素が三角形であるものや、左映像中の画像要素が数字１である一方、右映像中の画像要素が数字２であるものなど、本分野の技術者が周知する立体画像は、いずれも本発明の保護範囲内に含まれる。左映像と右映像が異なれば、限定されず、本発明の応用分野が広がる。
【００７２】
本実施形態において、立体表示装置１に立体画像を格納しておく。立体画像の表示周波数を設定することにより、立体画像を取得する。もちろん、立体表示装置１による表示の周波数を制御することにより、立体画像取得の目的を実現してもいい。多種類の形態により立体画像を表示することができ、操作が便利であり、本実施形態による立体表示装置の校正方法の使用範囲が広がる。
【００７３】
図１と図７に示すように、装着誤差は水平シフト量誤差を含む。ステップＳ２は、立体画像に基づいて、水平シフト量誤差を校正するための水平シフト量校正パラメータを取得するステップＳ２１を含む。
【００７４】
立体表示装置１は、第１方向に沿って配列する分光ユニット１１１を含む分光デバイス１１と、第２方向に沿って配列する表示ユニット１２１を含む表示パネル１２を含み、本実施形態による表示ユニット１２１が立体表示の最小表示単位を指す。設計上の要求により、分光デバイス１１は、表示パネル１２に傾斜するように置かれる。立体表示装置１の装着完成後に、装着誤差は、分光ユニット１１１と表示ユニット１２１の配列周期の不整合による水平シフト量誤差を含む。水平シフト量誤差を校正しないと、画像にクロストーク問題が生じてしまい、立体表示装置１の表示効果に影響を与える。校正パラメータは、水平シフト量誤差を校正するための水平シフト量校正パラメータを含む。立体表示装置１に表示される立体画像を取得し、立体画像に基づいて、所定条件を満たす水平シフト量校正パラメータを取得する。使用者による立体表示装置１の使用時に、立体表示装置１は、水平シフト量校正パラメータに基づいて水平シフト量誤差を校正し、水平シフト量誤差による立体表示への影響をなくし、立体表示効果を向上させる。
【００７５】
図７と図８に示すように、ステップＳ２１は、具体的に、水平シフト量検出区間を設定するステップＳ２１１と、水平シフト量検出区間に基づいて立体画像を取得するステップＳ２１２と、立体画像に基づいて、所定条件を満たす水平シフト量校正パラメータを取得するステップＳ２１３とを含む。
【００７６】
表示ユニット１２１の配列周期に基づいて、水平シフト量検出区間及び水平シフト量検出歩幅を設定する。初期水平シフト量校正パラメータＬ０に基づいて、立体表示装置１による表示ユニット１２１に対して対応な画像処理を行うことを制御する。具体的に、初期水平シフト量校正パラメータをＬ０と設定する。初期水平シフト量校正パラメータＬ０に基づいて、水平シフト量制御信号を送信する。立体表示装置１は、水平シフト量制御信号に基づいて、表示ユニット１２１に対して配列処理を行い、配列処理後の立体画像を表示し、当該立体画像を取得して格納する。第ｉ回水平シフト量校正パラメータをＬｉ、水平シフト量検出歩幅をｂ１と設定すると、Ｌｉ＝Ｌ０＋（ｉ−１）ｂ１（ｉ≧１）。第ｉ回水平シフト量校正パラメータＬｉに基づいて画像処理を行う前に、第ｉ回水平シフト量校正パラメータＬｉが水平シフト量検出区間にあるかを判断する。第ｉ回水平シフト量校正パラメータＬｉが水平シフト量検出区間にない場合、上記作業を停止させる。第ｉ回水平シフト量校正パラメータＬｉが水平シフト量検出区間にある場合、第ｉ回水平シフト量校正パラメータＬｉに基づいて、水平シフト量制御信号を送信する。立体表示装置１は、水平シフト量制御信号に基づいて、表示ユニット１２１に対して配列処理を行い、配列処理後の立体画像を表示し、当該立体画像を取得する。第ｉ回水平シフト量校正パラメータＬｉが水平シフト量検出区間から外れると、上記作業を停止させる。格納された立体画像に対して画像処理を行い、所定条件を満たす水平シフト量校正パラメータを取得し、水平シフト量校正パラメータを格納する。立体表示装置１による立体画像表示時に、水平シフト量校正パラメータに基づいて表示ユニット１２１に対して配列処理を行い、水平シフト量誤差による表示効果への影響をなくす。水平シフト量校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００７７】
立体画像に基づいて水平シフト量校正パラメータを取得し、水平シフト量校正パラメータを立体表示装置１に格納していい。使用者による立体表示装置１の使用時に、立体表示装置１は、水平シフト量校正パラメータに基づいて装着誤差を校正し、装着誤差による表示効果への影響をなくす。もちろん、水平シフト量校正パラメータを格納媒体に格納してもいい。使用者による立体表示装置１の使用時に、格納媒体から水平シフト量校正パラメータを取得し、操作が便利である。本実施形態による格納媒体は、クラウドサービスまたはＡＰＰストアのクライアントなどのプラットフォームである。
【００７８】
図１及び図７に示すように、装着誤差は、角度誤差を含む。ステップＳ２は、立体画像に基づいて、角度誤差を校正するための角度校正パラメータを取得するステップＳ２２をさらに含む。
【００７９】
分光ユニット１１１と表示ユニット１２１の配列が周期的に干渉するのを避けるために、分光デバイス１１を表示パネル１２に傾斜するように置き、分光ユニット１１１が第１方向に沿って配列し、表示ユニット１２１が第２方向に沿って配列し、装着誤差には、第１方向と第２方向との間の角度による角度誤差をさらに含む。角度誤差を校正しないと、画像のクロストーク、粒子感などが生じてしまい、立体表示装置１の表示効果に影響を与える。校正パラメータは、角度誤差を校正するための角度校正パラメータを含む。立体表示装置１に表示される立体画像を取得し、立体画像に基づいて、所定条件を満たす角度校正パラメータを取得する。使用者による立体表示装置１の使用時に、立体表示装置１は、角度校正パラメータに基づいて角度誤差を校正し、角度誤差による立体表示への影響をなくし、立体表示効果を向上させる。
【００８０】
図７及び図９に示すように、ステップＳ２２は、具体的に、角度検出区間を設定するステップＳ２２１と、前記角度検出区間に基づいて前記立体画像を取得するステップＳ２２２と、前記立体画像に基づいて、所定条件を満たす前記角度校正パラメータを取得するステップＳ２２３とを含む。
【００８１】
設計上の要求における分光デバイス１１の傾斜角度及び角度誤差に基づいて、角度検出区間及び角度検出歩幅を特定する。具体的に、初期角度校正パラメータをＡ０と設定する。初期角度校正パラメータＡ０に基づいて、角度制御信号を送信する。立体表示装置１は、角度制御信号に基づいて、表示ユニット１２１に対して配列処理を行い、配列処理後の立体画像を表示し、当該立体画像を取得して格納する。第ｉ回角度校正パラメータをＡｉ、角度検出歩幅をｂ２と設定すると、Ａｉ＝Ａ０＋（ｉ−１）ｂ２（ｉ≧１）。第ｉ回角度校正パラメータＡｉに基づいて画像処理を行う前に、第ｉ回角度校正パラメータＡｉが角度検出区間にあるかを判断する。第ｉ回角度校正パラメータＡｉが角度検出区間にない場合、上記作業を停止させる。第ｉ回角度校正パラメータＡｉが角度検出区間にある場合、第ｉ回角度校正パラメータＡｉに基づいて、角度制御信号を送信する。立体表示装置１は、角度制御信号に基づいて、表示ユニット１２１に対して配列処理を行い、配列処理後の立体画像を表示し、当該立体画像を取得する。第ｉ回角度校正パラメータＡｉが角度検出区間から外れると、上記作業を停止させる。格納された立体画像に対して画像処理を行い、所定条件を満たす角度校正パラメータを取得し、角度校正パラメータを格納する。立体表示装置１による立体画像表示時に、角度校正パラメータに基づいて表示ユニット１２１に対して配列処理を行い、角度誤差による表示効果への影響をなくす。角度校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００８２】
立体画像に基づいて校正パラメータを取得し、角度校正パラメータを立体表示装置１に格納していい。使用者による立体表示装置１の使用時に、立体表示装置１は、角度校正パラメータに基づいて装着誤差を校正し、装着誤差による表示効果への影響をなくす。もちろん、角度校正パラメータを格納媒体に格納してもいい。使用者による立体表示装置１の使用時に、格納媒体から角度校正パラメータを取得し、操作が便利である。本実施形態による格納媒体は、クラウドサービスまたはＡＰＰストアのクライアントなどのプラットフォームである。
【００８３】
上記実施形態の更なる改良として、図１と図６に示すように、ステップＳ１に先立ち、立体表示装置１の表示領域を検出するステップＳ４をさらに含む。
【００８４】
取得する画像は、立体表示装置１に表示される立体画像だけではなく、表示領域以外の外部環境も含むため、外部環境による角度校正パラメータ、水平シフト量校正パラメータの精確さへの影響を避けるべく、画像処理前に、表示領域を検出して表示領域内に画像の関連処理をする必要がある。表示領域内の画像チャネル値を抽出し、エッジ検出を用いて、表示領域の境界点及び境界曲線を検出し、前記境界点及び境界曲線と画像面積に基づいて、表示領域を自動的に検出する。外部環境による検出結果への影響をさらに低減させ、校正結果の信頼性を確保する。
【００８５】
＜実施形態４＞
本実施形態による立体表示装置の校正方法は、実施形態３による立体表示装置の校正方法とは処理工程がほぼ同一であり、相違点として、上記実施形態の更なる改良として、図１、図５及び図６に示すように、所定のマークモデル４を追跡するための追跡ユニット１３を立体表示装置１に設けたことと、ステップＳ１に先立ち、マークモデル４が追跡ユニット１３により追跡されると、ステップＳ１に進むステップＳ３である追跡ステップをさらに含むことである。
【００８６】
追跡ユニット１３の追跡機能を起動させ、マークモデル４が追跡されてから、立体表示装置１に表示される立体画像を取得する。使用者の代わりにマークモデル４を使用し、立体表示装置１は、マークモデル４の位置に基づいて立体表示内容を調整する。そこで、実際の使用時に、観察者が立体効果を途切れなく見ることができ、しかも観察した内容が使用者の方位や運動傾向に応じて対応的に変化し、使用者と表示内容のインターアクションを実現し、立体表示のリアリティを向上させる。
【００８７】
本実施形態によるマークモデル４には、追跡ユニット１３により識別可能な画像特徴が設けられている。画像特徴が追跡ユニット１３に追跡されると、立体表示装置１は、追跡信号を制御装置２にフィードバックする。制御装置２は、追跡信号に基づいて、立体表示装置１に表示される立体画像の画像取得装置３による取得を制御する。使用者の代わりにマークモデル４を使用し、立体表示装置１は、マークモデル４の位置に基づいて立体表示内容を調整する。したがって、実際の使用時に、観察者が立体効果を途切れなく見ることができ、しかも観察した内容が使用者の方位や運動傾向に応じて対応的に変化し、使用者と表示内容のインターアクションを実現し、立体表示のリアリティを向上させる。本実施形態によるマークモデル４は、平面のペーパボード（paperboard）または立体頭部画像などにある追跡ユニット１３による識別が可能な特徴である。例えば人の顔の特徴、文字特徴又は画像特徴などが挙げられるが、ここでは枚挙しない。
【００８８】
具体的に、図５〜図７に示すように、装着誤差は、追跡ユニット１３の取付位置による位置誤差をさらに含む。ステップＳ２は、立体画像に基づいて、位置誤差を校正するための位置校正パラメータを取得するステップＳ２３をさらに含む。
【００８９】
装着誤差は、追跡ユニット１３の取付位置による位置誤差を含む。位置誤差を校正しないと、画像にクロストーク問題が生じてしまい、立体表示装置１の表示効果に影響を与える。校正パラメータは、位置誤差を校正するための位置校正パラメータを含む。立体表示装置１に表示される立体画像を取得し、立体画像に基づいて、所定条件を満たす位置校正パラメータを取得する。使用者による立体表示装置１の使用時に、立体表示装置１は、位置校正パラメータに基づいて位置誤差を校正し、位置誤差による立体表示への影響をなくし、立体表示効果を向上させる。
【００９０】
図１、図５、図７及び図１０に示すように、ステップＳ２３は、具体的に、位置検出区間を設定するステップＳ２３１と、位置検出区間に基づいて立体画像を取得するステップＳ２３２と、立体画像に基づいて、所定条件を満たす位置校正パラメータを取得するステップＳ２３３とを含む。
【００９１】
追跡ユニット１３の取付位置に基づいて、位置検出区間を設定する。初期位置校正パラメータＺ０に基づいて、立体表示装置１による表示ユニット１２１に対して対応な画像処理を行うことを制御する。具体的に、初期位置校正パラメータをＺ０と設定する。初期位置校正パラメータＺ０に基づいて、位置制御信号を送信する。立体表示装置１は、位置制御信号に基づいて、表示ユニット１２１に対して配列処理を行い、配列処理後の立体画像を表示し、当該立体画像を取得して格納する。第ｉ回位置校正パラメータをＺｉ、位置検出歩幅をｂ３と設定すると、Ｚｉ＝Ｚ０＋（ｉ−１）ｂ３（ｉ≧１）。第ｉ回位置校正パラメータＺｉに基づいて画像処理を行う前に、第ｉ回位置校正パラメータＺｉが位置検出区間にあるかを判断する。第ｉ回位置校正パラメータＺｉが位置検出区間にない場合、上記作業を停止させる。第ｉ回位置校正パラメータＺｉが位置検出区間にある場合、第ｉ回位置校正パラメータＺｉに基づいて、位置制御信号を送信する。立体表示装置１は、位置制御信号に基づいて、表示ユニット１２１に対して配列処理を行い、配列処理後の立体画像を表示し、当該立体画像を取得する。第ｉ回位置校正パラメータＺｉが位置検出区間から外れると、上記作業を停止させる。格納された立体画像に対して画像処理を行い、所定条件を満たす位置校正パラメータを取得し、位置校正パラメータを格納する。立体表示装置１による立体画像表示時に、位置校正パラメータに基づいて表示ユニット１２１に対して配列処理を行い、位置誤差による表示効果への影響をなくす。位置校正パラメータの取得は、オペレータによる手動作業を必要とせず、オペレータの労働強度を低下させ、しかも立体表示装置１の装着完成後に校正をするため、校正結果の信頼性が高く、立体表示効果の向上に役立つ。
【００９２】
＜実施形態５＞
本実施形態による立体表示装置の校正方法は、実施形態３、実施形態４による立体表示装置の校正方法とはほぼ同一なものである。相違点として、図６に示すように、ステップＳ２の後に、校正パラメータを格納するステップＳ５をさらに含むことである。
【００９３】
本実施形態において、立体画像に基づいて校正パラメータを取得し、校正パラメータを立体表示装置１に格納する。使用者による立体表示装置１の使用時に、立体表示装置１は、校正パラメータに基づいて装着誤差を校正し、装着誤差による表示効果への影響をなくす。もちろん、校正パラメータを格納媒体に格納してもいい。使用者による立体表示装置１の使用時に、格納媒体から校正パラメータを取得し、操作が便利である。
【００９４】
以上に記載したのは、単に本発明の好ましい実施例に過ぎず、本発明を制限するためのものではない。本発明の精神と原則内に為したあらゆる修正、同等の差し替え、改良などは、いずれも本発明の保護範囲内に含まれるものとする。
【図１】
0006002204.tif 000002
【図２】
0006002204.tif 000003
【図３】
0006002204.tif 000004
【図４】
0006002204.tif 000005
【図５】
0006002204.tif 000006
【図６】
0006002204.tif 000007
【図７】
0006002204.tif 000008
【図８】
0006002204.tif 000009
【図９】
0006002204.tif 000010
【図１０】
0006002204.tif 000011